(57)【要約】【課題】大型化を抑制して光源部および検出スイッチの効率的な冷却が可能なプロジェクターを提供する。【解決手段】プロジェクター１は、光源部および光源部を収納する光源用筐体を有する光源装置３１と、光源装置３１が着脱される開口部２１４、および外気を取り込む第１吸気孔、第２吸気孔２３２を有する外装筐体２と、開口部２１４を閉塞する蓋体２４と、開口部２１４の開放状態を検出する検出スイッチ６１と、光源部に空気を送風する第１ファンと、第１ファンから送風された空気を光源部に流通させる第１流路と、駆動されることによって第２吸気孔２３２から外部の空気を内部に流入させる第２ファンとしての排気ファン７２１と、第２吸気孔２３２から流入する空気を検出スイッチ６１、および排気ファン７２１に導く第２流路と、を備える。【選択図】図３
2014145814.tif 000002
【特許請求の範囲】
【請求項１】
光束を射出する光源部、および前記光源部を収納する光源用筐体を有する光源装置と、
前記光源装置が着脱される開口部、および外気を取り込む第１吸気孔、第２吸気孔を有する外装筐体と、
前記開口部を閉塞する蓋体と、
前記蓋体が前記開口部を閉塞した状態、または前記蓋体が前記開口部の少なくとも一部を開放した状態を検出する検出部と、
前記第１吸気孔から取り込んだ空気を前記光源部に送風する第１ファンと、
前記第１ファンから送風された空気を前記光源部に流通させる第１流路と、
駆動されることによって前記第２吸気孔から外部の空気を内部に流入させる第２ファンと、
前記第２吸気孔から流入する空気を前記検出部、および前記第２ファンに導く第２流路と、
を備えることを特徴とするプロジェクター。
【請求項２】
請求項１に記載のプロジェクターであって、
前記第１流路の少なくとも一部は、前記光源用筐体内部に形成され、
前記第２流路の少なくとも一部は、前記光源用筐体の外面と前記外装筐体の内面とで形成されていることを特徴とするプロジェクター。
【請求項３】
請求項１または請求項２に記載のプロジェクターであって、
前記第２吸気孔と前記第１流路との間には、前記第２吸気孔から前記第１流路への空気の流れを遮る仕切部が形成されていることを特徴とするプロジェクター。
【請求項４】
請求項２または請求項３に記載のプロジェクターであって、
前記光源用筐体における前記第１流路から流出する空気を前記第２ファンに案内するダクト部を備え、
前記第２流路の少なくとも一部は、前記光源用筐体の外面および前記ダクト部の外面と、前記外装筐体の内面とで形成され、
前記ダクト部は、前記第２流路を流通した空気が流入する開口部を有し、
前記第２ファンは、前記ダクト部を流通した空気を前記外装筐体外部に排出する排気ファンであることを特徴とするプロジェクター。
【請求項５】
請求項１〜請求項４のいずれか一項に記載のプロジェクターであって、
前記第２流路には、前記第２吸気孔から流入する空気の流通方向を変える整流部が設けられていることを特徴とするプロジェクター。
【請求項６】
請求項１〜請求項５のいずれか一項に記載のプロジェクターであって、
スピーカーを備え、
前記外装筐体には、前記スピーカーが発した音を外部に放出させる放音孔が形成され、
前記第２吸気孔は、前記放音孔に併設され、周縁形状が前記放音孔の周縁形状と同形状に形成されていることを特徴とするプロジェクター。
【発明の詳細な説明】
【技術分野】
【０００１】
本発明は、プロジェクターに関する。
【背景技術】
【０００２】
従来、光源から射出された光束を変調する光変調装置、および変調した光束を投写する投写レンズを備えたプロジェクターが知られている。このプロジェクターは、光源の発光に伴う発熱によって、プロジェクター内の温度が上昇し、内部部品の性能や機能の劣化を招くため、ファン等を備える冷却装置によって光源を冷却するように構成されている（例えば、特許文献１参照）。
【０００３】
特許文献１に記載のプロジェクターは、光源装置を収納する外装ケース、冷却空気を送風するシロッコファン、シロッコファンから送風された冷却空気を案内する冷却用ダクトを備えている。そして、シロッコファンから送風された冷却空気は、冷却用ダクトで分割されて、光源装置および外装ケースの内側に送風される。
【先行技術文献】
【特許文献】
【０００４】
【特許文献１】特開２００２−１７４８５７号公報
【発明の概要】
【発明が解決しようとする課題】
【０００５】
しかしながら、特許文献１に記載のプロジェクターは、シロッコファンから送風された冷却空気で光源装置および外装ケースの内側を冷却するように構成されているため、風量や風速の能力が高いファンを用いないとこれらの部材を冷却することが難しく、シロッコファンの大型化、ひいてはプロジェクターの大型化や重量が増すという課題がある。
また、特許文献１には開示されていないが、プロジェクターの光源装置周辺は、光源装置を着脱可能とする構造や、光源装置が着脱される外装ケースの開口部を閉塞するカバーの開閉状態を検出する検出スイッチ等を配置する構造が必要とされ、複雑な構造となる。このため、光源装置周辺に冷却空気を確実に流通させることが難しく、光源装置周辺に配置される検出スイッチ等の部材を効率よく冷却できずに、これらの部材を劣化させたり、損失させたりしてしまう恐れがある。また、光源装置周辺に確実に冷却空気を流通させるために、ファンの駆動電圧を高めると、プロジェクターの騒音が増加するという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光束を射出する光源部、および前記光源部を収納する光源用筐体を有する光源装置と、前記光源装置が着脱される開口部、および外気を取り込む第１吸気孔、第２吸気孔を有する外装筐体と、前記開口部を閉塞する蓋体と、前記蓋体が前記開口部を閉塞した状態、または前記蓋体が前記開口部の少なくとも一部を開放した状態を検出する検出部と、前記第１吸気孔から取り込んだ空気を前記光源部に送風する第１ファンと、前記第１ファンから送風された空気を前記光源部に流通させる第１流路と、駆動されることによって前記第２吸気孔から外部の空気を内部に流入させる第２ファンと、前記第２吸気孔から流入する空気を前記検出部、および前記第２ファンに導く第２流路と、を備えることを特徴とする。
【０００８】
この構成によれば、第１ファンから送風された空気は、第１流路を流通して光源部を冷却し、第２ファンが駆動されることによって第２吸気孔から流入する空気は、第２流路を流通して検出部を冷却する。これによって、第１ファンから送風される空気を光源部の冷却専用の空気として使用することができると共に、外気を効率よく利用して検出部を冷却することができる。第１ファンを光源部の冷却専用のファンとして構成することで、１つのファンで光源部に加えて他の部材にも空気を送風して冷却する構成に比べ、風量や風速の能力が小さいファンを採用できるので、第１ファンの小型化が可能となる。
また、プロジェクターにおける光源装置周辺は、光源装置を着脱可能とする構造や検出部を配置する構造のため複雑な構造となるが、第２流路を備えているので、光源装置の近傍に配置される検出部に確実に空気を送風し、光源部の熱が伝わりやすい検出部を確実に冷却することが可能となる。
よって、大型化を抑制しつつ、光源部の発熱による劣化の抑制や検出部の誤動作を防止し、長寿命化を図ったプロジェクターの提供が可能となる。また、効率的な冷却が可能となるので、第１ファンや第２ファンの低電圧駆動によるプロジェクターの低騒音化が図れる。
【０００９】
［適用例２］上記適用例に係るプロジェクターにおいて、前記第１流路の少なくとも一部は、前記光源用筐体内部に形成され、前記第２流路の少なくとも一部は、前記光源用筐体の外面と前記外装筐体の内面とで形成されていることが好ましい。
【００１０】
この構成によれば、光源部を収納する光源用筐体内に第１流路の少なくとも一部が形成されているので、第１ファンから送風された空気を確実に光源部に流通させることができる。また、光源用筐体の外面と外装筐体の内面とで第２流路の少なくとも一部が形成されているので、第２流路に流れる空気で外装筐体における光源装置の近傍の部位を冷却することができる。光源装置の近傍は、光源部の発熱によって温度上昇が大きくなるので、光源装置の近傍を冷却することで外装筐体の劣化を抑制することが可能となる。
よって、光源部、検出部および外装筐体を効率よく冷却することが可能となる。
【００１１】
［適用例３］上記適用例に係るプロジェクターにおいて、前記第２吸気孔と前記第１流路との間には、前記第２吸気孔から前記第１流路への空気の流れを遮る仕切部が形成されていることが好ましい。
【００１２】
この構成によれば、第２吸気孔と第１流路との間には、仕切部が形成されているので、第２吸気孔から流入した空気が第１流路に流通することが抑制される。これによって、第２吸気孔から流入する空気を確実に第２流路に流通させ、検出部および第２流路に配置される部材を冷却することができる。
【００１３】
［適用例４］上記適用例に係るプロジェクターにおいて、前記光源用筐体における前記第１流路から流出する空気を前記第２ファンに案内するダクト部を備え、前記第２流路の少なくとも一部は、前記光源用筐体の外面および前記ダクト部の外面と、前記外装筐体の内面とで形成され、前記ダクト部は、前記第２流路を流通した空気が流入する開口部を有し、前記第２ファンは、前記ダクト部を流通した空気を前記外装筐体外部に排出する排気ファンであることが好ましい。
【００１４】
この構成によれば、第１流路を流れて光源部を冷却して暖まった空気、および第２流路を流れて検出部等を冷却して暖まった空気をダクト部で案内し、第２ファンである排気ファンでまとめて外装筐体外部に排出できる。これによって、光源部や検出部等を冷却して暖まった空気が他の部材に回り込むことを抑制すると共に、この暖まった空気の排出流路をコンパクトに構成し、この空気を確実に外部に排出することが可能となる。
【００１５】
［適用例５］上記適用例に係るプロジェクターにおいて、前記第２流路には、前記第２吸気孔から流入する空気の流通方向を変える整流部が設けられていることが好ましい。
【００１６】
この構成によれば、第２流路において、部分的に狭くなる部位があったとしても、整流部によって、余裕のあるスペースに空気が流れるように空気の流通方向を変えることが可能となる。よって、第２流路の大型化ひいてはプロジェクターの大型化を抑制して空気がスムースに流れる第２流路を形成し、検出部および第２流路近傍に配置される部材を効率よく冷却することが可能となる。
【００１７】
［適用例６］上記適用例に係るプロジェクターにおいて、スピーカーを備え、前記外装筐体には、前記スピーカーが発した音を外部に放出させる放音孔が形成され、前記第２吸気孔は、前記放音孔に併設され、周縁形状が前記放音孔の周縁形状と同形状に形成されていることが好ましい。
【００１８】
この構成によれば、第２吸気孔および放音孔を整然と配置することが可能となるので、プロジェクターのデザイン性の向上が図れる。また、プロジェクターの使用者に第２吸気孔を放音孔と異なる孔として意識させないことが可能なので、使用者の違和感を取り除いたデザインが図れる。
【図面の簡単な説明】
【００１９】
【図１】本実施形態のプロジェクターの概略構成を示す模式図。
【図２】本実施形態のプロジェクターを斜め後方から見た外観図。
【図３】本実施形態のプロジェクターを斜めから見た断面図。
【図４】本実施形態のプロジェクターを上方から見た断面図。
【図５】本実施形態における第１冷却部周囲のプロジェクターの断面図。
【図６】本実施形態における光源装置および第１冷却部の斜視図。
【図７】本実施形態の第２冷却部における排気ファンおよびダクト部を示す斜視図。
【図８】変形例のリアーケースを示す図。
【発明を実施するための形態】
【００２０】
以下、本実施形態に係るプロジェクターについて、図面を参照して説明する。
本実施形態のプロジェクターは、光源装置から射出された光束を画像情報に応じて変調し、スクリーン等の投写面に画像を投写する。
〔プロジェクターの主な構成〕
図１は、本実施形態のプロジェクター１の概略構成を示す模式図である。
プロジェクター１は、図１に示すように、外装を構成する外装筐体２、制御部（図示省略）、光源装置３１および投写レンズ３６を有する光学ユニット３、電源装置４、入力端子１０Ｔ（図２参照）、スピーカー１０Ｓ、検出ユニット６（図３参照）、および冷却装置７を備えている。光学ユニット３は、平面視略Ｌ字状に形成され、一方の端部に光源装置３１が着脱可能に配置され、他方の端部に投写レンズ３６が配置される。なお、以下では、説明の便宜上、光源装置３１から光束が射出される方向を＋Ｘ方向、投写レンズ３６から光束が射出される方向を＋Ｙ方向（前側）、プロジェクター１が机上等に据え置かれた姿勢における上方を＋Ｚ方向（上側）として記載する。また、±Ｘ方向を左右方向とする。
【００２１】
図２は、プロジェクター１を斜め後方から見た外観図である。図３は、プロジェクター１を−Ｘ側斜めから見た断面図である。
外装筐体２は、合成樹脂製であり、図２、図３に示すように、アッパーケース２１、ロアーケース２２、リアーケース２３、および蓋体２４等を備えており、これらは、ネジ等により固定されている。
【００２２】
アッパーケース２１は、外装筐体２の上部を構成する。アッパーケース２１の上面には、図２に示すように、プロジェクター１の各種指示を行うための操作パネル２１１が設けられ、操作パネル２１１の前方には、アッパーケース２１の上面から投写レンズ３６のズーム調整やフォーカス調整を行うレバー２１２，２１３が露出している。また、アッパーケース２１の上面には、図３に示すように、光源装置３１が着脱される開口部２１４が設けられており、この開口部２１４は、蓋体２４によって閉塞される。
【００２３】
ロアーケース２２は、外装筐体２の下部を構成する。ロアーケース２２には、図２に示すように、ロアーケース２２から下方に突出する脚部２５が設けられており、この脚部２５は、プロジェクター１が机上等に設置される際に設置面に当接してプロジェクター１を支持する。
【００２４】
リアーケース２３は、外装筐体２の背面側を構成する。リアーケース２３には、図２に示すように、外部の画像出力装置（図示省略）から出力される各種形式の画像情報が入力される入力端子１０Ｔを露出させるための端子用孔、およびスピーカー１０Ｓが発した音を外部に放出させる複数の放音孔２３１が形成されている。
複数の放音孔２３１は、図２に示すように、各放音孔２３１の形状が後方からみて円形状に形成されており、リアーケース２３においてスピーカー１０Ｓの外形形状と同等の範囲に設けられている。
【００２５】
また、外装筐体２には、図１に示すように、投写レンズ３６から投写される光が通過する投写用開口部２Ａ、外気を取り込むための第１吸気孔２２１、第２吸気孔２３２、および外装筐体２内部の空気が外部に排出される排気口２Ｂが形成されている。
【００２６】
第１吸気孔２２１は、図１に示すように、外装筐体２の＋Ｘ側の側面に設けられている。この第１吸気孔２２１の内側には、図示しない防塵フィルターが配置されており、外気に混入している塵埃がこの第１吸気孔２２１から外装筐体２内への侵入することを防止するように構成されている。
第２吸気孔２３２は、図２に示すように、リアーケース２３の放音孔２３１の−Ｘ方向に設けられ、上下方向より左右方向が長い複数の長孔が上下方向に併設されて構成されている。
【００２７】
排気口２Ｂは、図１に示すように、外装筐体２の前面側で、投写用開口部２Ａとは離間して形成されている。
【００２８】
蓋体２４は、図２に示すように、外面がアッパーケース２１の天面、およびアッパーケース２１の−Ｘ側の側面に倣うように形成されており、図３に示すように、内面側には、後述する検出スイッチ６１を押圧する突起部２４１が設けられている。蓋体２４は、アッパーケース２１の−Ｘ側から＋Ｘ方向にスライドされることによってアッパーケース２１の開口部２１４を閉塞し、ネジによってアッパーケース２１に固定される。
【００２９】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。
【００３０】
〔光学ユニットの構成〕
光学ユニット３は、制御部による制御の下、光源装置３１から射出された光束を光学的に処理して投写する。
光学ユニット３は、図１に示すように、光源装置３１に加え、インテグレーター照明光学系３２、色分離光学系３３、リレー光学系３４、光学装置３５、投写レンズ３６、およびこれらの部材を光路上の所定位置に配置する光学部品用筐体３８を備えている。
【００３１】
図４は、プロジェクター１の−Ｘ側を上方から見た断面図である。
光源装置３１は、図４に示すように、光源部３１０、光源用筐体３１３、平行化レンズ３１４、および入力端子３１５を備え、光源部３１０は、超高圧水銀ランプやメタルハライドランプ等からなる放電型の発光管３１１、およびリフレクター３１２を備えている。
【００３２】
発光管３１１は、内部に一対の電極（図示省略）の先端が近接対向して配置される発光部３１１１、および発光部３１１１の両側に延出し、それぞれの電極の他端を支持する一対の封止部３１１２を有している。発光管３１１は、一方の封止部３１１２がリフレクター３１２に支持され、一対の電極に電力が供給されることによって、近接対向している電極間で放電が発生して光束を射出する。そして、光源装置３１は、発光管３１１から射出された光束をリフレクター３１２にて反射した後、平行化レンズ３１４よって射出方向を揃え、インテグレーター照明光学系３２に向けて射出する。
【００３３】
光源用筐体３１３は、光源部３１０を内部に収納し、平行化レンズ３１４および入力端子３１５を保持するように形成されている。光源用筐体３１３には、後述するランプファン７１１から送風された空気が流入する流入口、および光源部３１０を冷却した空気が流出する流出口が形成されており、光源部３１０を冷却するための第１流路１００の一部が形成されている。
【００３４】
入力端子３１５は、図４に示すように、リフレクター３１２とスピーカー１０Ｓとの間に配置され、後述する電源装置４の出力端子（図示省略）に接続される。光源装置３１は、この入力端子３１５を介して電源装置４から電力が供給される。
【００３５】
図１に戻って、インテグレーター照明光学系３２は、第１レンズアレイ３２１、第２レンズアレイ３２２、偏光変換素子３２３、および重畳レンズ３２４を備え、光源装置３１から射出された光束が後述する液晶ライトバルブ５２の表面に略均一に照射されるように、また有効利用されるように構成されている。
【００３６】
色分離光学系３３は、２枚のダイクロイックミラー３３１，３３２、および反射ミラー３３３を備え、インテグレーター照明光学系３２から射出された光束を赤色光（以下「Ｒ光」という）、緑色光（以下「Ｇ光」という）、青色光（以下「Ｂ光」という）の３色の色光に分離する機能を有する。
【００３７】
リレー光学系３４は、入射側レンズ３４１、リレーレンズ３４３、および反射ミラー３４２，３４４を備え、色分離光学系３３で分離されたＲ光をＲ光用の液晶ライトバルブ５２まで導く機能を有する。なお、光学ユニット３は、リレー光学系３４がＲ光を導く構成としているが、これに限らず、例えば、Ｂ光を導く構成としてもよい。
【００３８】
光学装置３５は、各色光用に設けられた電気光学装置５（Ｒ光用の電気光学装置を５Ｒ、Ｇ光用の電気光学装置を５Ｇ、Ｂ光用の電気光学装置を５Ｂとする）、および色合成光学装置としてのクロスダイクロイックプリズム３５１を備えている。
各電気光学装置５は、入射側偏光板５１、光変調装置としての液晶ライトバルブ５２（Ｒ光用の液晶ライトバルブを５２Ｒ、Ｇ光用の液晶ライトバルブを５２Ｇ、Ｂ光用の液晶ライトバルブを５２Ｂとする）、および射出側偏光板５４を備え、各色光を画像情報に応じて変調する。
【００３９】
クロスダイクロイックプリズム３５１は、４つの直角プリズムを貼り合わせた平面視略正方形状をなし、直角プリズム同士を貼り合わせた界面には、２つの誘電体多層膜が形成されている。クロスダイクロイックプリズム３５１は、誘電体多層膜が電気光学装置５Ｒ，５Ｂにて変調された色光を反射し、電気光学装置５Ｇにて変調された色光を透過して、各色光を合成する。
【００４０】
投写レンズ３６は、光軸３６Ｊに沿って配置される複数のレンズ（図示省略）を有し、クロスダイクロイックプリズム３５１にて合成された光をスクリーン上に拡大投写する。
【００４１】
電源装置４は、図１に示すように、インテグレーター照明光学系３２等の前方に配置され、光源装置３１や制御部、および冷却装置７の後述するにランプファン７１１や排気ファン７２１等に電力を供給する。
スピーカー１０Ｓは、図４に示すように、光源装置３１の後方（−Ｙ側）に配置され、音を発する側が後方を向くようにリアーケース２３に固定される。
【００４２】
検出ユニット６は、図３に示すように、光源装置３１近傍に配置され、検出部としての検出スイッチ６１、および検出スイッチ６１を保持する保持部材６２を備えている。
検出スイッチ６１は、図示しないレバーを有し、図３に示すように、光源装置３１の後方で、第２吸気孔２３２から流入する空気が直接送風されるような位置に配置されている。
検出スイッチ６１は、レバーへの押圧および押圧の解除によって接続状態が切り替わる。具体的に、検出スイッチ６１は、蓋体２４がアッパーケース２１に装着される際にレバーが蓋体２４の突起部２４１に押圧され、蓋体２４がアッパーケース２１から取り外される際にレバーが突起部２４１からの押圧が解除されて接続状態が切り替わる。つまり、検出スイッチ６１は、蓋体２４がアッパーケース２１の開口部２１４を閉塞した状態、または蓋体２４が開口部２１４の少なくとも一部を開放した状態を検出できるように構成されている。そして、制御部は、検出スイッチ６１の検出結果に基づいて、蓋体２４がアッパーケース２１に装着されていない状態で発光管３１１を点灯させないように電源装置４を制御する。
【００４３】
保持部材６２は、高耐熱性の合成樹脂等を有して形成されており、アッパーケース２１の開口部２１４近傍に配置される。そして、保持部材６２は、図３に示すように、保持部材６２の後側に検出スイッチ６１が位置するように、検出スイッチ６１を保持する。
【００４４】
冷却装置７は、図１に示すように、第１ファンとしてのランプファン７１１、および第２ファンとしての排気ファン７２１を備えている。また、図示は省略するが、プロジェクター１は、電気光学装置５等を冷却する冷却ファンを備え、この冷却ファンが駆動されることによって、第１吸気孔２２１から外部の空気が外装筐体２内部に取り込まれ、電気光学装置５等を冷却する。
後で詳細に説明するが、プロジェクター１内には、ランプファン７１１から送風された空気を光源部３１０に流通させる第１流路１００、および排気ファン７２１が駆動することによって、第２吸気孔２３２から流入する空気を検出スイッチ６１、および排気ファン７２１に導く第２流路２００が設けられている。また、前述したように、光源用筐体３１３には、第１流路１００の一部が形成されている。
【００４５】
〔冷却装置の構成〕
ここで、冷却装置７について詳細に説明する。
冷却装置７は、図１、図４に示すように、光源装置３１の後方（−Ｙ方向）に配置される第１冷却部７１、光源装置３１の前方（＋Ｙ方向）に配置される第２冷却部７２を備えている。
第１冷却部７１は、ランプファン７１１を備え、ランプファン７１１が送風した空気で光源部３１０を冷却するように構成されている。
【００４６】
図５は、第１冷却部７１周囲のプロジェクター１の断面図である。図６は、光源装置３１および第１冷却部７１の斜視図である。
第１冷却部７１は、図５、図６に示すように、ランプファン７１１に加え、導入部材７１２、整流部７１３、および仕切部７１４を備えている。
ランプファン７１１は、回転軸に沿って取り込んだ空気を回転接線方向に送風するシロッコファンで構成されている。ランプファン７１１は、図４に示すように、スピーカー１０Ｓの＋Ｘ方向で、インテグレーター照明光学系３２の後方（−Ｙ方向）となる位置に、空気を取り込む流入口７１１１が後方（−Ｙ方向）、取り込んだ空気を送風する送風口７１１２が−Ｘ方向を向くように配置される。
【００４７】
導入部材７１２は、図４、図６に示すように、ランプファン７１１の送風口７１１２側に配置され、ランプファン７１１が送風した空気を光源用筐体３１３内に導くように形成されている。
【００４８】
整流部７１３は、板金で形成され、図４、図６に示すように、導入部材７１２および光源用筐体３１３の後方側（−Ｙ側）、および光源用筐体３１３の−Ｘ側を覆うように形成されている。また、整流部７１３には、図６に示すように、入力端子３１５の近傍に開口部７１３１が形成されている。
整流部７１３は、第２流路２００に設けられ、第２吸気孔２３２から流入する空気の流通方向を変える機能を有している。具体的に、整流部７１３は、第２吸気孔２３２から流入する空気を光源用筐体３１３で覆う部位で流通方向を変え、流通方向が変更された空気の一部を開口部７１３１で通過させた後、光源装置３１の下方に流通させるように形成されている。また、整流部７１３は、光源装置３１の熱が外装筐体２内に伝わりにくくするための遮熱、および光源部３１０から射出される光束が第２吸気孔２３２等の外装筐体２の開口部から漏れないようにするための遮光の機能も有している。
【００４９】
仕切部７１４は、第２吸気孔２３２から第１流路１００への空気の流れを遮る機能を有している。仕切部７１４は、板金で形成され、図４、図５に示すように、Ｙ−Ｚ平面に沿う縦壁部７１４１、およびＸ−Ｙ平面に沿う横壁部７１４２を有し、スピーカー１０Ｓとランプファン７１１の流入口７１１１と間に配置される。本実施形態の仕切部７１４は、入力端子１０Ｔが実装される回路基板（図示省略）を固定する板金で形成されている。なお、仕切部７１４をリアーケース２３等の外装筐体２の一部で形成してもよい。
【００５０】
第２冷却部７２は、排気ファン７２１を備え、光源装置３１を冷却した空気、および第２吸気孔２３２から流入し、検出スイッチ６１等を冷却した空気を導き、外装筐体２外部に排出する。
第２冷却部７２は、図１、図４に示すように、排気ファン７２１に加え、ダクト部８、および排気口２Ｂに配置されるルーバー７２２を備えている。
排気ファン７２１は、軸流ファンで構成され、ルーバー７２２の後方に配置される。
【００５１】
図７は、第２冷却部７２における排気ファン７２１およびダクト部８を示す斜視図である。具体的に、図７（ａ）は、前方における−Ｘ側斜めから見た図、（ｂ）は、前方における＋Ｘ側斜めから見た図、（ｃ）は、後方斜めから見た図である。
【００５２】
ダクト部８は、筒状に形成され、内部が光源用筐体３１３における第１流路１００に連通する第１流路１００の一部を形成する。ダクト部８は、光源用筐体３１３における第１流路１００から流出する空気を排気ファン７２１に案内する機能を有し、図７に示すように、空気の流通方向における上流側から順次配設された後側ダクト８１、前側ダクト８２、およびファン押え部材８３を備えている。また、ダクト部８は、外面と外装筐体２の内面とで第２流路の一部を形成する。
【００５３】
後側ダクト８１は、図４に示すように、光源装置３１の前方（＋Ｙ側）に配置され、光源装置３１側の端部は、光源用筐体３１３の前方側の壁部より＋Ｘ側に広がるように筒状に形成されている。そして、後側ダクト８１の光源装置３１側の端部には、ランプファン７１１から送風され、光源用筐体３１３内を冷却した空気が流入する流入口８１３が形成されている。
【００５４】
流入口８１３には、図４、図７（ｃ）に示すように、上下方向に延出するリブ８１４が形成されており、流入口８１３は、このリブ８１４によって、＋Ｘ側から順次位置する第１流入口８１３ａ、および第２流入口８１３ｂに分割されている。
リブ８１４は、図４に示すように、流入口８１３の±Ｘ方向における略中央から前方に向かうに従って−Ｘ方向に位置するように傾斜し、後側ダクト８１の前側端部より後方となる位置まで延出している。
【００５５】
第１流入口８１３ａの前方には、図７（ｃ）に示すように、＋Ｘ側および＋Ｚ側を塞ぐ壁部８１７が設けられており、第１流入口８１３ａの角部には、空気が流通する流通孔８１３ｃが形成されている。つまり、第１流入口８１３ａに流入する空気は、一部がこの壁部８１７に衝突して一度に前方に流通せず、この壁部８１７で一時滞留して出口が絞られた流通孔８１３ｃから前方に流通することとなる。
【００５６】
第２流入口８１３ｂには、図４、図７（ｃ）に示すように、上下方向に延出する２つのリブ８１５が形成されている。リブ８１５は、図４に示すように、リブ８１４と略平行に延出した後、−Ｘ方向に屈曲されたように形成されている。
リブ８１４，８１５は、傾斜する方向に流入口８１３に流入する空気を案内すると共に、光源部３１０から射出される光束が排気口２Ｂから漏れないようにするための遮光の機能も有している。
【００５７】
また、第２流入口８１３ｂにおける−Ｘ側の内面には、図７（ｃ）に示すように、複数の突起部８１６が設けられている。突起部８１６は、光源部３１０から射出される光束の一部が照射された場合でも、その光束を乱反射し、一方方向に集中して反射することを抑制する機能を有している。
【００５８】
前側ダクト８２は、図４、図７（ａ）に示すように、後側ダクト８１の前側に接続され、後側ダクト８１を流通した空気を案内するように筒状に形成されている。
前側ダクト８２の−Ｘ側の側面は、図７（ａ）に示すように、断面形状が略円弧状に形成され、斜め上方および斜め下方には、開口部８２１が形成されている。開口部８２１は、排気ファン７２１が駆動されることによって、ダクト部８の外面と外装筐体２の内面との間を流通した空気が流入する。つまり、開口部８２１は、第２流路２００を流通した空気が流入するように形成されている。
【００５９】
前側ダクト８２の＋Ｘ側の側面は、図７（ｂ）に示すように、Ｙ−Ｚ平面に沿うように形成され、この側面には、複数の開口部８２２が形成されている。開口部８２２は、排気ファン７２１が駆動されることによって、電源装置４側の空気が流入する。
【００６０】
ファン押え部材８３は、排気ファン７２１を囲むような筒状に形成され、図７（ａ）に示すように、ファン押え部材８３の前方から挿通されたネジＳＣを用いて、前側ダクト８２とで排気ファン７２１の縁部を挟持する。
【００６１】
ルーバー７２２は、図４に示すように、フレーム部７２２１、および複数の羽根部７２２２を有している。
フレーム部７２２１は、外装筐体２の排気口２Ｂの周縁部に沿うように形成されている。
【００６２】
複数の羽根部７２２２は、フレーム部７２２１の内側に、略上下方向に沿う方向に延出し、図４に示すように、Ｙ−Ｚ平面に対して前側が後側より−Ｘ側に位置するように傾斜している。そして、ルーバー７２２は、排気ファン７２１から送風された空気を外装筐体２外部に案内する。
【００６３】
〔空気の流れ〕
ここで、第１流路１００および第２流路２００の空気の流れについて説明する。
先ず、第１流路１００の空気の流れについて説明する。
第１流路１００は、導入部材７１２、光源用筐体３１３、およびダクト部８で形成され、ランプファン７１１から送風された空気を光源部３１０に流通させる。
具体的に、ランプファン７１１は、第１吸気孔２２１から取り込まれた外装筐体２内の流入口７１１１周囲の空気を取り込み、図４に示すように、取り込んだ空気を送風口７１１２から送風する。
送風口７１１２から送風された空気Ａｒ１０１は、導入部材７１２に導かれて光源用筐体３１３の流入口から光源装置３１の内部に流入する。光源装置３１の内部に流入した空気Ａｒ１０１は、リフレクター３１２の内側と平行化レンズ３１４との間を流れる空気Ａｒ１０２と、リフレクター３１２の外側を流れる空気Ａｒ１０３とに分かれる。空気Ａｒ１０２は、発光管３１１、リフレクター３１２の内面、および＋Ｘ側の封止部３１１２から飛び出ている電極を冷却し、空気Ａｒ１０３は、リフレクター３１２の外面、およびリフレクター３１２に支持される−Ｘ側の封止部から飛び出ている電極を冷却する。
【００６４】
そして、光源部３１０を冷却した空気Ａｒ１０２，Ａｒ１０３は、光源用筐体３１３の流出口から後側ダクト８１の流入口８１３に流入する。空気Ａｒ１０２は、主に流入口８１３における第１流入口８１３ａに流入し、空気Ａｒ１０３は、主に第２流入口８１３ｂに流入する。
第１流入口８１３ａに流入した空気Ａｒ１０２は、前述したように、一部が壁部８１７によって滞留して、出口が絞られた流通孔８１３ｃから前方に流通する。そして、流通孔８１３ｃから前方に流通する空気Ａｒ１０２は、排気ファン７２１に流入する。このように、空気Ａｒ１０２は、発光管３１１等を冷却して高温となっているので、壁部８１７で一時滞留させて出口が絞られた流通孔８１３ｃから流通させるという構成にすることで、一度に熱い空気が排気ファン７２１に流入されずに、排気ファン７２１の劣化を抑制する効果を奏している。
【００６５】
一方、第２流入口８１３ｂに流入した空気Ａｒ１０３は、リブ８１４，８１５に案内されて前方に流通し、排気ファン７２１に流入する。第２流入口８１３ｂに流入した空気Ａｒ１０３においても、リブ８１４，８１５が傾斜していることで、より熱くなっている＋Ｘ側の空気が集中して排気ファン７２１に流入しないよう、ダクト部８内の−Ｘ側寄りに流通する。
このように、第１流路１００を流れ、光源部３１０を冷却した空気Ａｒ１０２，Ａｒ１０３は、排気ファン７２１に流入してルーバー７２２側に送風される。
【００６６】
次に、第２流路２００の空気の流れについて説明する。
第２流路２００は、光源用筐体３１３の外面およびダクト部８の外面と、外装筐体２の内面とで形成され、整流部７１３は、この第２流路２００内に位置することとなる。
第２流路２００は、排気ファン７２１が駆動されることにより、第２吸気孔２３２から流入する空気を検出スイッチ６１、および排気ファン７２１に導く。
【００６７】
具体的に、排気ファン７２１が駆動されると、第２吸気孔２３２から外部の空気が外装筐体２内部に流入する。図３、図４に示すように、第２吸気孔２３２から流入した空気Ａｒ２０１は、検出スイッチ６１を冷却した後、整流部７１３と外装筐体２の内側との間を流れる。整流部７１３と外装筐体２の内側との間を流れる空気Ａｒ２０２は、一部が整流部７１３の開口部７１３１（図６参照）を通過した後、図３に示すように、外装筐体２の底面と、光源用筐体３１３およびダクト部８との間を流れる（空気Ａｒ２０３）。また、空気Ａｒ２０２，Ａｒ２０３は、外装筐体２の内面側も冷却することとなる。
【００６８】
そして、空気Ａｒ２０２，Ａｒ２０３は、図４に示すように、前側ダクト８２の開口部８２１からダクト部８内に流入し、排気ファン７２１に向かって流通する。
このように、第２流路２００を流れ、検出スイッチ６１および外装筐体２の内面を冷却した空気Ａｒ２０２，Ａｒ２０３は、排気ファン７２１に流入してルーバー７２２側に送風される。
【００６９】
また、排気ファン７２１が駆動されると、図４に示すように、前側ダクト８２の開口部８２２から電源装置４周囲の空気が排気ファン７２１に流入する。そして、この開口部８２２からは、電源装置４を冷却した空気Ａｒ３０１が流入することとなる。
このように、第１流路１００を流れ、光源部３１０を冷却した空気Ａｒ１０２，Ａｒ１０３、第２流路２００を流れ、検出スイッチ６１および外装筐体２の内面側を冷却した空気Ａｒ２０２，Ａｒ２０３、および電源装置４を冷却した空気Ａｒ３０１は、ダクト部８内で合流し、排気ファン７２１によって、ルーバー７２２を介して外装筐体２外部に排出される。
【００７０】
以上説明したように、本実施形態によれば、以下の効果を得ることができる。
（１）第１ファンとしてのランプファン７１１から送風される空気を光源部３１０の冷却専用の空気として使用することができると共に、外気を効率よく利用して検出スイッチ６１や外装筐体２の光源装置３１近傍を冷却することができる。ランプファン７１１を光源部３１０の冷却専用のファンとして構成することで、１つのファンで光源部３１０に加えて他の部材にも空気を送風して冷却する構成に比べ、風量や風速の能力が小さいファンを採用できるので、ランプファン７１１の小型化が可能となる。
また、プロジェクター１における光源装置３１周辺は、光源装置３１を着脱可能とする構造や検出スイッチ６１等を配置する構造のため複雑な構造となるが、第２流路２００を備えているので、検出スイッチ６１等に確実に空気を送風し、光源部３１０の熱が伝わりやすい検出スイッチ等を確実に冷却することが可能となる。
よって、大型化を抑制しつつ、光源部３１０の発熱による劣化の抑制や検出スイッチ６１の誤動作を防止し、長寿命化を図ったプロジェクター１の提供が可能となる。また、効率的な冷却が可能となるので、ランプファン７１１や排気ファン７２１の低電圧駆動によるプロジェクター１の低騒音化が図れる。
【００７１】
（２）光源用筐体３１３内に第１流路１００の一部が形成されているので、ランプファン７１１から送風された空気を確実に光源部３１０に流通させることができる。また、光源用筐体３１３の外面と、外装筐体の内面とで第２流路２００の一部が形成されているので、第２流路２００に流れる空気で外装筐体２における光源装置３１の近傍の部位を冷却することができる。光源装置３１の近傍は、光源部３１０の発熱によって温度上昇が大きくなるので、光源装置３１の近傍を冷却することで外装筐体２の劣化を抑制することが可能となる。
よって、光源部３１０、検出スイッチ６１および外装筐体２を効率よく冷却することが可能となる。
【００７２】
（３）第２吸気孔２３２と第１流路１００との間には、仕切部７１４が形成されているので、第２吸気孔２３２から流入した空気Ａｒ２０１が第１流路１００に流通することが抑制される。これによって、第２吸気孔２３２から流入する空気Ａｒ２０１を確実に第２流路２００に流通させ、検出スイッチ６１および外装筐体２を冷却することができる。
【００７３】
（４）光源部３１０を冷却して暖まった空気Ａｒ１０２，Ａｒ１０３、検出スイッチ６１等を冷却して暖まった空気Ａｒ２０２，Ａｒ２０３、および電源装置４を冷却して暖まった空気Ａｒ３０１をダクト部８で案内し、排気ファン７２１でまとめて外装筐体２外部に排出するように構成されている。これによって、光源部３１０や検出スイッチ６１等を冷却して暖まった空気が他の部材に回り込むことを抑制すると共に、この暖まった空気の排出流路をコンパクトに構成し、この空気を確実に外部に排出することが可能となる。
【００７４】
（５）第２流路２００には、整流部７１３が配置されているので、第２流路２００に部分的に狭くなる部位があったとしても、整流部７１３によって、余裕のあるスペースに空気が流れるように空気の流通方向を変えることが可能となる。また、整流部７１３における開口部７１３１のように、空気が分かれて流れるように形成することも可能となる。よって、第２流路２００の大型化ひいてはプロジェクター１の大型化を抑制して空気がスムースに流れる第２流路２００を形成し、検出スイッチ６１や外装筐体２等の部材を効率よく冷却することが可能となる。
【００７５】
（６）検出スイッチ６１は、第２吸気孔２３２から流入する空気が直接送風されるような位置に配置されているので、より効率的に冷却される。
【００７６】
（変形例）
なお、前記実施形態は、以下のように変更してもよい。
前記実施形態の第２吸気孔２３２は、長孔に形成されているが、長孔以外の形状であってもよい。図８は、変形例のリアーケース９を示す図であり、（ａ）は、外面側となる後方から見た図、（ｂ）は、内側から見た図である。
図８に示すように、第２吸気孔９２は、放音孔９１の−Ｘ側に複数設けられ、各第２吸気孔９２の周縁形状は、各放音孔９１の周縁形状と同等の丸形状に形成されている。また、複数の第２吸気孔９２は、図８（ｂ）に示すように、−Ｘ方向に向かうに従って上下方向の数が少なくなるように形成されている。また、リアーケース９の背面には、図８（ａ）に示すように、放音孔９１の＋Ｘ側、および放音孔９１の−Ｘ側で第２吸気孔９２の上下に位置するダミー穴９３が設けられている。ダミー穴９３は、リアーケース９を貫通しておらず、その周縁形状は、各放音孔９１の周縁形状と同等の丸形状に形成されている。
このように、第２吸気孔９２の周縁形状を放音孔９１の周縁形状と同形状にすることで、第２吸気孔９２および放音孔９１を整然と配置することが可能となるので、プロジェクター１のデザイン性の向上が図れる。また、プロジェクター１の使用者に第２吸気孔９２を放音孔９１とは異なる孔として意識させないことが可能なので、使用者の違和感を取り除いたデザインが図れる。また、ダミー穴９３を設けることで、さらにデザイン性の向上が図れる。
【００７７】
前記実施形態における第１ファンを軸流ファンで構成してもよい。また、第２ファンをシロッコファンで構成してもよい。
【００７８】
前記実施形態のプロジェクター１は、光変調装置として透過型の液晶ライトバルブ５２を用いているが、反射型の液晶ライトバルブを利用したものであってもよい。また、光変調装置としてマイクロミラーアレイを用いたデバイス等を利用したものであってもよい。
【００７９】
光源部３１０は、放電型のランプを用いたものに限らず、その他の方式のランプや発光ダイオード等の固体光源で構成してもよい。
【符号の説明】
【００８０】
１…プロジェクター、２…外装筐体、２Ｂ…排気口、３…光学ユニット、７…冷却装置、８…ダクト部、１０Ｓ…スピーカー、２１…アッパーケース、２２…ロアーケース、２３，９…リアーケース、２４…蓋体、３１…光源装置、６１…検出スイッチ、７１…第１冷却部、７２…第２冷却部、８１…後側ダクト、８２…前側ダクト、８３…ファン押え部材、９１…放音孔、９２，２２１…第１吸気孔、２３２…第２吸気孔、９３…ダミー穴、１００…第１流路、２００…第２流路、２１４…開口部、２３１…放音孔、３１０…光源部、３１３…光源用筐体、７１１…ランプファン、７１２…導入部材、７１３…整流部、７１４…仕切部、７２１…排気ファン、８１３…流入口、８２１…開口部、７１３１…開口部。
【図１】
2014145814.tif 000003
【図２】
2014145814.tif 000004
【図３】
2014145814.tif 000005
【図４】
2014145814.tif 000006
【図５】
2014145814.tif 000007
【図６】
2014145814.tif 000008
【図７】
2014145814.tif 000009
【図８】
2014145814.tif 000010